(57)【要約】【課題】本願発明の課題は、使用不使用に応じて容易に収容・取出しが可能で、しかもピック収容具自体も不使用時に容易に離脱することができるピック収容具を提供することを課題とする。【解決手段】本願発明に係るピック収容具は、ギター等の弦を弾くためのピックＰを収容可能な収容部を有する収容具本体１００と、該収容具本体１００から収容部よりも背面側に延設されてなるとともに楽器のストラップに引掛け可能な引掛け部２００とを備えていることを特徴とする。【選択図】図４
2009003200.tif 000002
【特許請求の範囲】
【請求項１】
ギター等の弦を弾くためのピックを収容可能な収容部を有する収容具本体と、
該収容具本体から収容部よりも背面側に延設されてなるとともに楽器のストラップに引掛け可能な引掛け部とを備えていることを特徴とするピック収容具。
【請求項２】
請求項１記載のピック収容具であって、
前記収容具本体は、収容されるピックの前面側および背面側にそれぞれ位置する前面壁および背面壁と、該前面壁または背面壁の何れか一方に設けられるとともに他方側にピックを弾性押圧するように設けられた弾性片とを備えていることを特徴とするピック収容具。
【請求項３】
請求項２記載のピック収容具であって、
前記前面壁、背面壁および弾性片を含む収容具本体と、前記引掛け部とが、一体成形されて構成されていることを特徴とするピック収容具。
【請求項４】
請求項３記載のピック収容具であって、
前記引掛け部は、前記弾性片の背面側に位置する部位に切欠が設けられていることを特徴とするピック収容具。
【請求項５】
請求項３または４記載のピック収容具であって、
前記収容具本体は、ピックを挿入脱するための開口を有するとともに、収容されたピックの側面に位置し前記前面壁および背面壁を連結する側面壁を有しており、
前記側面壁には、開口と対向する位置に、切欠が設けられていることを特徴とするピック収容具。
【請求項６】
請求項５記載のピック収容具であって、
前記前面壁または／および背面壁は、前記側面壁の切欠が設けられた位置において、前記側面壁よりも、ピックを収容するために挿入する方向に向けて延設されていることを特徴とするピック収容具。
【請求項７】
請求項３乃至６の何れかに記載のピック収容具であって、
前記収容具本体は、ピックを挿入脱するための開口を有し、
前記背面壁は、前記収容具本体の開口付近において切欠が設けられており、
前記引掛け部は、前記背面壁の切欠の形成されていない箇所から、延設されていることを特徴とするピック収容具。
【請求項８】
請求項１乃至７の何れかに記載のピック収容具であって、
前記収容部が、引掛け部の挿入方向に交差する方向において複数設けられていることを特徴とするピック収容具。
【発明の詳細な説明】
【技術分野】
【０００１】
本願発明は、ギター等の楽器の弦を弾くためのピックを収容するためのピック収容具に関するものである。
【背景技術】
【０００２】
ピックは、ギター等の弦楽器の弦を弾くために演奏時に用いられ、不使用時には例えばケース等においてまとめて収容されたり、楽器の弦の部分に係止されて楽器とともに楽器ケースに収容されている。
【０００３】
また、演奏時において、使用していないピックは、ギターアンプ等の上に載置されたり、演奏者の衣服のポケット等に収容されている。
【０００４】
しかるに、上記のような収容の方法であっては、ピックが必要な際にすぐにピックを取出すことが煩雑である。ここで、たとえばピックを収容するケースを楽器に接着する等の方法も考えられるが、かかる方法によれば、楽器の外観を損ねるとともに、一度接着すると容易に離脱できないという欠点を有する。
【発明の開示】
【発明が解決しようとする課題】
【０００５】
そこで、本願発明は、上記事情に鑑みて創案されたもので、本願発明の課題は、使用不使用に応じて容易に収容・取出しが可能で、しかもピック収容具自体も不使用時に容易に離脱することができるピック収容具を提供することを課題とする。
【課題を解決するための手段】
【０００６】
上記課題を解決すべく、本願発明に係るピック収容具は、ギター等の弦を弾くためのピックを収容可能な収容部を有する収容具本体と、該収容具本体から収容部よりも背面側に延設されてなるとともに楽器のストラップに引掛け可能な引掛け部とを備えていることを特徴とする。
【０００７】
上記構成からなるピック収容具にあっては、引掛け部によってストラップに引掛けることにより、楽器使用時においても演奏者に近い位置にピックを収容しておくことが可能であり、ピックが必要となった際に容易にピックを取出すことができる。
【０００８】
また、本願発明に係るピック収容具にあっては、前記収容具本体が、収容されるピックの前面側および背面側にそれぞれ位置する前面壁および背面壁と、該前面壁または背面壁の何れか一方に設けられるとともに他方側にピックを弾性押圧するように設けられた弾性片とを備えている構成を採用することが好ましい。
【０００９】
上記構成を採用することによって、収容部に収容されたピックは、弾性片によって該前面壁または背面壁の何れか一方に弾性押圧されることによって不用意に脱落することがないという利点を有する。
【００１０】
また、上記構成を採用した場合にあっては、たとえば弾性片を別部材で形成して、前記前面壁または背面壁に取付けることによって製造することも可能であるが、かかる方法によれば、製造工程が増えるという問題を有する。そのため、前記前面壁、背面壁および弾性片を含む収容具本体と、前記引掛け部とが、一体成形されて構成されていることが好ましく、これにより、製造工程を少なくすることが可能となる。
【００１１】
さらに、前記のように一体に成形されてなる構成を採用した場合にあっては、前記引掛け部が、前記弾性片の背面側に位置する部位に切欠が設けられている構成を採用することが好ましい。これによって、成形するための型として、弾性片を形成する部分付近に背面側から型を位置させることができるため、型の強度を高めることができるという利点を有する。なお、ここで、切欠とは、引掛け部が設けられていない部分を意味する。
【００１２】
また、前記のように一体に成形されてなる構成を採用した場合にあっては、前記収容具本体が、ピックを挿入脱するための開口を有するとともに、収容されたピックの側面に位置し前記前面壁および背面壁を連結する側面壁を有しており、該側面壁には、開口と対向する位置に、切欠が設けられている構成を採用することが好ましい。これによって、成形するための型として、弾性片を形成する部分に、前記側面壁の切欠の部分から型を挿入することが可能となる。なお、ここで、切欠とは、側面壁が設けられていない部分を意味する。
【００１３】
さらに、前記構成を採用した場合にあっては、前記前面壁または／および背面壁は、前記側面壁の切欠が設けられた位置において、前記側面壁よりも、ピックを収容するために挿入する方向に向けて延設されていることが好ましい。これによって、収容部に収容されるピックが、前記側面壁に設けられた切欠から突出していても、該側面壁よりも前面壁または／および背面壁が延設しているため、前記収容部から突出したピックに、演奏者の手があたることを防止でき、あるいは、ストラップに取付ける際にストラップが当接することを防止できることによって、ピックが不用意に収容部から離脱することを防止することができる。
【００１４】
また、前記のように一体に成形されてなる構成を採用した場合にあっては、前記収容具本体が、ピックを挿入脱するための開口を有し、前記背面壁は、前記開口付近において切欠が設けられていることが好ましい。これによって、収容されたピックを取出す際に、前面側から指でピックを押圧することで、前記背面壁の切欠の部分においてピックが変形して取出しやすいという利点を有する。さらに、かかる構成を採用した場合には、引掛け部が、前記背面壁の切欠の形成されていない箇所から、延設されている構成を採用することが好ましい。つまり、仮に、前記引掛け部が、前記背面側の切欠の形成された箇所から延設されている場合にあっては、ストラップを取付ける際に、ストラップが背面壁の切欠の形成された部分までしか挿入することができない、すなわち、ストラップが引掛け部の奥まで挿入することができない。このため、引掛け部が、背面壁の切欠の形成されていない箇所から延設されていることが好ましく、これによって、ストラップを引掛け部の奥まで挿入できるという利点を有する。
【００１５】
また、本願発明にあっては、前記収容部が、引掛け部の挿入方向に交差する方向において複数設けられていることが好ましい。このように収容部が複数設けられることによって、たとえば収容部ごとに異なるピックを収容したり、また、収容部が単数のものに比べて多数のピックを収容することができる利点を有する。さらに、かかる収容部が引掛け部の挿入方向に交差する方向において複数設けられていることによって、ピック収容具自体の横幅（引掛け部の挿入方向に交差する方向の大きさ）が大きくなり、このため、引掛け部が大きくなるため、安定した状態でストラップに取付けることができる。
【発明を実施するための最良の形態】
【００１６】
本願発明の一実施の形態のピック収容具を以下説明する。
【００１７】
本実施形態のピック収容具は、ギター等の弦を弾くための略三角形状のピックＰを収容可能な収容部Ｓを有する収容具本体１００と、該収容具本体１００から収容部Ｓよりも背面側に延設されてなるとともに楽器のストラップに引掛け可能な引掛け部２００とを備えている。
【００１８】
前記収容具本体１００は、収容されるピックＰの前面側および背面側にそれぞれ位置する前面壁１１０および背面壁１２０と、前記前面壁１１０および背面壁１２０を連結するとともに収容部ＳのピックＰに当接するように設けられた側面壁１３０とを備え、この前面壁１１０、背面壁１２０および側面壁１３０によって囲まれた部位が前記収容部Ｓとして機能とすることになる。また、該収容具本体１００は、前記収容部Ｓの上方において、前記側面壁１３０は形成されておらず、この上方がピックＰを挿入脱するための開口として機能とすることになる。
【００１９】
本実施形態においては、前記収容部Ｓは、横方向（引掛け部２００の挿入方向に交差する方向）に複数（二個）設けられている。また、各収容部Ｓには、前記ピックＰが複数（例えば三枚）収容できるように設けられており、換言すると、前記前面壁１１０と背面壁１２０とは、複数のピックＰの厚み以上に離間するように設けられている。
【００２０】
また、前面壁１１０には、収容部Ｓに収容されたピックＰを背面壁１２０側に弾性押圧するように設けられた弾性片１１１を備えている。これにより、前記開口から挿入して収容部Ｓに収容されたピックＰが背面側に弾性押圧されて、収容されたピックＰが不用意に離脱しないように設けられている。ここで、該弾性片１１１に相当する部位において前記前面壁１１０には切欠１１３が設けられており、前記弾性片１１１は、上方において前面壁１１０から連続して設けられている。この弾性片１１１は、前面壁１１０から連続して、下方および背面側に向けて突出して設けられており、詳述すると、前面壁１１０から下方および背面側の斜め方向に突出し、さらに、その先端側においては、やや前方側に屈曲されることにより下方側に突出するように設けられている。
【００２１】
また、側面壁１３０は、収容部Ｓの開口と対向する位置（最下方）に、切欠１３１が設けられており、収容されたピックＰの下部が、該切欠１３１から下部に突出するように設けられている。
【００２２】
さらに、前面壁１１０および背面壁１２０は、前記側面壁１３０の切欠１３１が設けられた位置において、側面壁１３０よりも下方側に延設されている。このため、収容部Ｓに収容されたピックＰの下部に、演奏者の指やストラップが不用意に当接しないように設けられている。
【００２３】
前記前面壁１１０は、収容部Ｓの開口側の端部（上端）が、収容部ＳのピックＰよりも下方に位置するように設けられており、つまり、収容されたピックＰが正面側から表出するように設けられている。これによって、収容されたピックＰが正面側から指等で触れることができるように収容されることになる。ここで、該前面壁１１０の上端は、収容部Ｓの横方向中央部位にかけて下方に位置するＲ字状に形成されている。
【００２４】
前記背面壁１２０は、前記開口において切欠１２１が設けられており、具体的には、開口側の端部（上端）が、収容部Ｓの横方向中央部位において、収容部ＳのピックＰよりも下方に位置するように設けられている。より具体的には、該背面壁１２０の上端は、収容部Ｓの横方向中央部位にかけて下方に位置するＲ字状に形成されている。このように、収容されたピックＰを正面側から指等で押圧することで、前記背面壁１２０の切欠１２１の部分においてピックＰが変形することができるように背面壁１２０が設けられている。
【００２５】
前記引掛け部２００は、背面壁１２０の前記開口における切欠１２１の形成されていない箇所から、延設されており、前記背面壁１２０から背面に向けてストラップの厚み程度突出し、さらに屈曲して下方側に延設されている。具体的には、前記引掛け部２００は、背面壁１２０の上端から連続して延設されており、これにより、ストラップを上端付近まで挿入してストラップに装着することができるように設けられている。また、背面壁１２０と引掛け部２００との隙間（奥行き方向の幅）は、上方から下方にかけて（ストラップ挿入方向反対方向にかけて）狭まるように設けられている。
【００２６】
また、引掛け部２００には、正面側に向けてリブ（図示省略）が形成されており、該リブ（図示省略）が前記ストラップに当接するように設けられている。ここで、本実施形態においては、リブは上下方向に沿って設けられている。なお、前記リブを、背面壁１２０に背面側に向けて設けることも可能である。また、リブを、横方向に沿って設けることも可能である。
【００２７】
また、引掛け部２００は、前記弾性片１１１の背面側に位置する部位に切欠２０１が設けられている。具体的には、前記引掛け部２００は、右側の収容部Ｓの右側と、左側の収容部Ｓの左側に一対設けられており、この一対の引掛け部２００の間には隙間（切欠２０１）が設けられており、この隙間が、前記弾性片１１１の横方向の位置まで位置するように設けられている。
【００２８】
さらに、本実施形態のピック収容具は、ポリカボネード等の合成樹脂によって、一体成形されて構成されている。
【図面の簡単な説明】
【００２９】
【図１】本願発明のピック収容具の一実施形態を概略的に説明する正面図。
【図２】同実施形態を概略的に説明する側面図。
【図３】同実施形態を概略的に説明する平面図。
【図４】同実施形態を概略的に説明する斜視図。
【符号の説明】
【００３０】
１００  収容具本体
１１０  前面壁
１１１  弾性片
１１３  切欠
１２０  背面壁
１２１  切欠
１３０  側面壁
１３１  切欠
２００  引掛け部
２０１  切欠
Ｓ      収容部
Ｐ      ピック
【図１】
2009003200.tif 000003
【図２】
2009003200.tif 000004
【図３】
2009003200.tif 000005
【図４】
2009003200.tif 000006